(57)【要約】【課題】流動性で繊維を含んだ、又は高粘性の単一成分の、有利には粘性範囲１０３−１０７ｍＰａ．ｓに位置する歯科材料の、装置には関係しない塗布を行う。【解決手段】２チャンバ型の圧力パッケージであって、圧縮されたガスを有する圧力チャンバ（２）と、製品チャンバ（１）と、該製品チャンバ（１）に接続された搬出弁（４）とが設けられており、前記製品チャンバ（１）が、流動性で高粘性の歯科材料又は流動性で繊維を含んだ歯科材料を有しているようにした。【選択図】図１
2005225568.tif 000002
【特許請求の範囲】
【請求項１】
２チャンバ型の圧力パッケージであって、圧縮されたガスを有する圧力チャンバ（２）と、製品チャンバ（１）と、該製品チャンバ（１）に接続された搬出弁（４）とが設けられており、前記製品チャンバ（１）が、流動性で高粘性の歯科材料又は流動性で繊維を含んだ歯科材料を有していることを特徴とする、２チャンバ型の圧力パッケージ。
【請求項２】
製品チャンバ（１）が、軟性のバッグである、請求項１記載の２チャンバ型の圧力パッケージ。
【請求項３】
繊維が、０．２〜３ｍｍまでの長さである、請求項１記載の圧力パッケージ。
【請求項４】
繊維が、１５〜５００μｍの直径を有している、請求項１記載の圧力パッケージ。
【請求項５】
製品チャンバ内の歯科材料が、１０３〜１０７ｍＰａ．ｓまでの範囲の粘性を有している、請求項１記載の圧力パッケージ。
【請求項６】
流動性で高粘性の、又は流動性で繊維を含んだ歯科材料の取出し及び包装のために使用することを特徴とする、２チャンバ型の圧力容器の使用法。
【請求項７】
繊維が、０．２〜３ｍｍまでの長さである、請求項６記載の使用法。
【請求項８】
繊維が、１５〜５００μｍの直径を有している、請求項６記載の使用法。
【請求項９】
製品チャンバ内の歯科材料が、１０３〜１０７ｍＰａ．ｓまでの範囲の粘性を有している、６記載の使用法。
【発明の詳細な説明】
【技術分野】
【０００１】
本発明は、流動性で繊維を含んだ、又は流動性で高粘性の歯科材料の包装及び取出しに関する。
【背景技術】
【０００２】
これまでには、このような材料は、複雑な圧縮空気と、例えばDelo社のDelomatシステムによるカートリッジシステムを介して取り出されている。このようなカートリッジシステムは、例えば接着剤塗布時にも使用される。
【０００３】
この場合に、塗布のために不可欠な、圧縮空気網及び流れ網又は別の機械的な補助手段に依存していることが不利である。
【０００４】
米国特許第３，２４０，４０３号明細書が、例えば歯科の成形材料のための２チャンバ型−圧力−リリースシステムについて記載している。高粘性又は繊維を含んだ材料については記載されていない。
【０００５】
米国特許第６，４２５，５０３号明細書が、特別に形成された弁について記載している。この弁は、繊維を含んだ材料のために適しており、堆積物による詰まりを阻止するようになっている。
【０００６】
国際公開第９８／３２６７５号パンフレットは、１５０〜１８０Ｐａ．ｓまでの粘性を有する傷用ジェルのための複数回調量のための２チャンバ型の圧力容器に関している。内圧により容器が自動的に閉まるので、片手で操作可能であり、アクセスが困難な身体箇所をジェルにより手当することができる。
【特許文献１】米国特許第３，２４０，４０３号明細書
【特許文献２】米国特許第６，４２５，５０３号明細書
【特許文献３】国際公開第９８／３２６７５号パンフレット
【発明の開示】
【発明が解決しようとする課題】
【０００７】
そこで本発明の課題は、流動性で繊維を含んだ、又は高粘性の単一成分の、有利には粘性範囲１０３−１０７ｍＰａ．ｓに位置する歯科材料の、装置には関係しない塗布を行うことである。この場合、粘性はＩＳＯ３２１９により規定される。
【０００８】
得られる繊維は、例えば長さ０．２〜３．０ｍｍ、直径１５〜５００μｍを有する短繊維である。
【課題を解決するための手段】
【０００９】
この課題は、２チャンバ型の圧力パッケージの使用により解決される。
【発明の効果】
【００１０】
このような圧力パッケージは公知である。従来のスプレー容器に対して、２チャンバシステムは、推進剤とペーストとが分離されているという利点を有しており、これにより、気泡形成のような複雑化が阻止される。１つのチャンバが圧縮されたガスにより充填されており、このガスが第２のチャンバに圧力を加えるようになっている、２チャンバシステムが考慮されるが、圧力が、ガスによってではなく機械的に、例えば押し付けられたゴム又は発泡材により構成されるようになっている２チャンバシステムも考慮される。圧力が外側から軟性のプラスチックボトル又はプラスチックバッグに構成されるようになっているシステムも考慮される（例えば、さらに以下に述べる、伸張されたゴムによるＥｘｘｅｌ−システム）。さらに、圧力室と製品室とが、可動なプランジャにより分離され、製品室が、例えば圧力室からのガス圧により圧縮されるようになっている２チャンバシステムを用いることができる。
【００１１】
２チャンバ型の圧力パッケージとしては、例えば、堅固な材料から成る弁を有する容器が適している。この容器には装置が設けられており、この装置は、この装置内に貯蔵された成分の押出しのためには、伸張されたゴムチューブ及び／又は伸張された製品容器の収縮力を使用する。このようなディスペンサが欧州特許第０６９６９９号明細書に記載されている。3D-Dispenser-Distributions GmbHによるFlexPackＴＭの名称で提供された容器は、伸張されたゴムの戻し力を成分の押出しのために使用している。例えば、化学的に不活性のプラスチック（例えばＰＥＴ）から成る、ほぼガス透過性の柔軟な、折り畳まれた内側バッグを有しており、この内側バッグが弾性的な肉厚のゴムチューブにより取り囲まれている形の容器が公知である。この形式のディスペンサは、例えば米国特許第５，９２７，５５１号明細書、米国特許第４，９６４，５４０号明細書及び欧州特許第０６９７３８号明細書に記載されており、Exxel Container社によりAtmos Dispensing Systemの名称で販売されている。
【００１２】
このような容器は、これまで繊維を含んだ材料又は高粘性の歯科材料のためには使用されてこなかった。なぜならば、材料が搬出弁を詰まらせかねないという危惧があったからである。
【００１３】
驚いたことに、繊維を含んだ、かつ高粘性でもある歯科材料を問題なしに、前記形式の２チャンバ型の圧力容器内で処理することができることが明らかとなった。複数の搬出プロセスの後に、より長い時間間隔をおいても、弁開閉の機能損傷は起こらない。したがって、繊維を含んだ材料は、問題なしに従来の弁により搬送することができる。
【００１４】
内側バッグを有する２チャンバ型の圧力容器は、有利にはディスペンサとして適している。これらの２チャンバ型の圧力容器は、流動性の材料のための柔軟な容器から成っている。この容器は、ガス圧室により取り囲まれており、搬出弁に接続されている。搬出弁が開かれた（一般にスプレイ容器により公知の機構により行われる）場合には、柔軟な容器はガス圧により圧縮され、材料が押し出される。この形式のシステムは、容器底部の開口により、又は「アンダカップシステム」の場合のように弁の持上げにより充填することができる。したがって本発明は、圧縮されたガスを有する圧力チャンバと、材料チャンバと、この材料チャンバに接続された搬出弁とを有する２チャンバ型の圧力パッケージにも関する。この場合には、材料チャンバは、流動性で高粘性の、又は流動性で繊維を含んだ歯科材料を有している。この場合、材料チャンバは柔軟なバックであると有利である。
【００１５】
特に圧力容器がアルミニウム又はブリキ板から成る圧力ガス容器が適している。変形可能な内側バッグは、通常はプラスチック、複合材（例えばプラスチック積層板又はアルミニウム積層板）又はアルミニウムフィルム、部分的にはラッカー塗装されたアルミニウムスリーブから成っている。これらの内側バッグは、圧力負荷下に協働する。
【００１６】
搬出弁としては、プレート弁、雄型のエアゾール弁、雌型のエアゾール弁が考慮される。有利には、「ＰＵ型−弁」が使用される。このＰＵ型−弁は、高い取出し量を特徴とする特殊弁である。それ故、特にポリウレタン製品又はシリコーン製品のために適している。しかしながら、化粧品、家庭用品分野、又は食品分野においても、しばしば使用されている。有利には、弁とバッグとの組合せ、例えばLindal社に由来する「バッグ・オン・バルブ」システムもあり得る。このバッグ・オン・バルブ・システムは、エアゾール弁と、溶接されたバッグとから成っている。このバッグ・オン・バルブ・システムは、特にジェルベースの製品に適している。
【００１７】
本発明による使用法の特別な利点は、装置には関係しない塗布が可能となっている点にある。この場合には、使用者は付加的な装置なしに直接に材料を使用することができる（使用準備されたパッケージ）。さらにこのパッケージの使用時には、周辺空気が製品室内に到達することがなく、逆流汚染が生じない。
【００１８】
特に本発明による使用法は、光硬化性の単一成分−プロテーゼベース材料の包装にまでわたっている。さらに類似の粘性範囲を有する歯科製品、例えば、歯を個別化するための製品、プロテーゼ、歯冠、ブリッジ並びにあらゆる種類の接着促進剤、及びジェル形式の製品を考慮することができる。
【発明を実施するための最良の形態】
【００１９】
本発明の実施例を図１につき説明する。図１に示された２チャンバ型の圧力パッケージでは、圧力チャンバ２と製品チャンバ１とが、可動なピストン３により分離されている。製品は搬出弁４の開放後に流出する。反対に、製品流れは搬出弁４の閉鎖後には停止される。ガス弁５が、圧力ガスの装入のために働く。
【００２０】
内包される材料は、例えば次の組成、すなわち、ジメタクリレートと、複数機能のメチラート／アクリレート（商品名「VersyoＲdirect」, Heraeus kulzer）とから成る網状組織のマトリクスの、光硬化性の単一コンポーネントのプロテーゼプラスチックである。成分は、特にトリメチルプロピリジントリメタクリレート（ＣＡＳ：３２９０−９２−４）、脂肪族のウレタンアクリレート、ビスフェノール−Ａ−エトキシリン（２）ジメタクリレート（ＣＡＳ：２４４４８−２０−２）（ＣＡＳ：２４４４８−２０−２）及び２，２−ジメトキシ−１，２−ジフェニル−エタン−１−オン（ＣＡＳ：２４６５０−４２−８）である。
【図面の簡単な説明】
【００２１】
【図１】本発明による２チャンバ型の圧力パッケージを示す図である。
【符号の説明】
【００２２】
１  製品チャンバ、  ２  圧力チャンバ、  ３  プランジャ、  ４  搬出弁、  ５  ガス弁、
【図１】
2005225568.tif 000003